(57)【要約】      （修正有）【課題】軽失禁用パッドのパイピング内に侵入した尿が、ショーツ生地側もしくは表面側にしみでることを防止し、かつ、パイピング部分での装着時に違和感を与えることが少ない軽失禁用パッドおよびそれを備えたショーツを提供する。  【解決手段】軽失禁用パッド１は、防水シート４と中間層布帛と表面側布帛２とからなるパッド本体１０と、該パッド本体の両側部を被包するパイピング５，６とを備える。軽失禁用パッド１は、パイピング内に形成され、パッド本体の側縁のほぼ全長に延びる液体保有可能部を備え、パイピングは、伸縮可能な撥水性布帛からなり、パッド本体に糸により縫着された縫着部７，８を有し、縫着部７，８は、伸縮性を有し、液体保有可能部に流入した水分の縫着部７，８からの滲出を規制している。【選択図】図１
0003170247.tif 000002
【実用新案登録請求の範囲】
【請求項１】
伸縮可能な防水シートと、前記防水シート上に配置された保水性を有する伸縮可能な中間層布帛と、前記中間層布帛上に配置され、メッシュ状面を有しかつメッシュ状面が表面側となるように配置された伸縮可能な表面側布帛とからなるパッド本体と、前記パッド本体の少なくとも両側部を被包するパイピングとを備える軽失禁用パッドであって、
前記軽失禁用パッドは、前記パイピング内に形成され、前記パッド本体の側縁のほぼ全長に延びる液体保有可能部を備え、前記パイピングは、伸縮可能な撥水性布帛からなり、かつ、前記パッド本体に弾性糸により縫着された縫着部を有し、さらに、前記縫着部は、伸縮性を有するものとなっており、前記液体保有可能部に流入した水分の前記縫着部からの滲出を規制していることを特徴とする軽失禁用パッド。
【請求項２】
前記縫着部は、前記弾性糸により環縫いもしくは本縫いされることにより形成されている請求項１に記載の軽失禁用パッド。
【請求項３】
前記弾性糸は、ストレッチ素材用ミシン糸である請求項２に記載の軽失禁用パッド。
【請求項４】
前記軽失禁用パッドは、前記メッシュ状面側に湾曲している請求項１ないし３のいずれかに記載の軽失禁用パッド。
【請求項５】
前記縫着部は、ボールポイント針により縫着されており、前記表面側布帛および前記中間層布帛を形成する繊維が切断される部分が少なく、繊維破断に起因する液体浸透性が低いものとなっている請求項１ないし４のいずれかに記載の軽失禁用パッド。
【請求項６】
前記表面側布帛および前記中間層布帛は、ほぼ同じ大きさであり、前記防水シートは、前記表面側布帛および前記中間層布帛の外縁より延出する環状延出部を有し、前記パイピングの内面は、前記防水シートの外縁に接触しており、前記液体保有可能部は、前記パイピング内にかつ、前記防水シートの前記延出部上の前記表面側布帛および前記中間層布帛の非存在部上に形成されている請求項１ないし５のいずれかに記載の軽失禁用パッド。
【請求項７】
前記中間層布帛は、保水性を有し、かつ拡散性を有するものである請求項１ないし６のいずれかに記載の軽失禁用パッド。
【請求項８】
前記それぞれのパイピングは、前記パッド本体の側部全体を被包するとともに、少なくとも表面側端部は、前記パイピングの内面に向かって延びる内側折り返し部を有し、前記縫着部は、前記折り返し部の折り返し端付近に設けられている請求項１ないし７のいずれかに記載の軽失禁用パッド。
【請求項９】
前記表面側布帛は、一方の面がメッシュ状となっており、他方の面は、非メッシュ面となっており、かつ、保水性を有し、かつ拡散性を有するものであり、前記中間層布帛は、一方の面がメッシュ状となっており、他方の面は、非メッシュ面となっており、かつ、保水性を有し、かつ拡散性を有するものである請求項１ないし８のいずれかに記載の軽失禁用パッド。
【請求項１０】
前記軽失禁用パッドは、前記中間層布帛および前記表面側布帛の上縁部および下縁部を前記防水シートに縫着する上縁縫着部および下縁縫着部と、前記上縁縫着部より延出する部分の前記防水シートにより形成されたショーツ本体縫着用上縁部と、前記下縁縫着部より延出する部分の前記防水シートにより形成されたショーツ本体縫着用下縁部とを備えている請求項１ないし９のいずれかに記載の軽失禁用パッド。
【請求項１１】
伸縮可能な防水シートと、前記防水シート上に配置された保水性を有する伸縮可能な中間層布帛と、前記中間層布帛上に配置され、メッシュ状面を有しかつメッシュ状面が表面側となるように配置された伸縮可能な表面側布帛とからなるパッド本体と、前記パッド本体の少なくとも両側部を被包するパイピングとを備える軽失禁用パッドであって、
前記軽失禁用パッドは、前記パイピング内に形成され、前記パッド本体の側縁のほぼ全長に延びる液体保有可能部を備え、前記パイピングは、伸縮可能な撥水性布帛からなり、かつ、前記パッド本体に弾性糸により縫着された縫着部を有し、さらに、前記縫着部は、前記弾性糸により環縫いもしくは本縫いされることにより形成された伸縮性を有するものとなっており、さらに、前記縫着部は、流入した水分の前記縫着部からの滲出を規制しており、そして、前記軽失禁用パッドは、前記メッシュ状面側に湾曲していることを特徴とする軽失禁用パッド。
【請求項１２】
伸縮可能な防水シートと、前記防水シート上に配置された保水性を有する伸縮可能な中間層布帛と、前記中間層布帛上に配置され、メッシュ状面を有しかつメッシュ状面が表面側となるように配置された伸縮可能な表面側布帛とからなるパッド本体と、前記パッド本体の両側部を被包するパイピングとを備える軽失禁用パッドであって、
前記軽失禁用パッドは、前記パイピング内に形成され、前記パッド本体の側縁のほぼ全長に延びる液体保有可能部を備え、前記パイピングは、伸縮可能な撥水性布帛からなり、かつ、前記パッド本体に弾性糸により縫着された縫着部を有し、さらに、前記縫着部は、伸縮性を有するものとなっており、さらに、前記縫着部は、流入した水分の前記縫着部からの滲出を規制しており、そして、前記縫着部は、ボールポイント針により縫着されており、前記表面側布帛および前記中間層布帛を形成する繊維が切断される部分が少なく、繊維破断に起因する液体浸透性が低いものとなっていることを特徴とする軽失禁用パッド。
【請求項１３】
前記軽失禁用パッドは、前記メッシュ状面側に湾曲している請求項１２に記載の軽失禁用パッド。
【請求項１４】
前記弾性糸は、ストレッチ素材用ミシン糸である請求項１１ないし１３のいずれかに記載の軽失禁用パッド。
【請求項１５】
前記表面側布帛および前記中間層布帛は、ほぼ同じ大きさであり、前記防水シートは、前記表面側布帛および前記中間層布帛の外縁より延出する環状延出部を有し、前記パイピングの内面は、前記防水シートの外縁に接触しており、前記液体保有可能部は、前記パイピング内にかつ、前記防水シートの前記延出部上の前記表面側布帛および前記中間層布帛の非存在部上に形成されている請求項１１ないし１４のいずれかに記載の軽失禁用パッド。
【請求項１６】
前記表面側布帛は、一方の面がメッシュ状となっており、他方の面は、非メッシュ面となっており、かつ、保水性を有し、かつ拡散性を有するものであり、前記中間層布帛は、一方の面がメッシュ状となっており、他方の面は、非メッシュ面となっており、かつ、保水性を有し、かつ拡散性を有するものである請求項１１ないし１５のいずれかに記載の軽失禁用パッド。
【請求項１７】
前記軽失禁用パッドは、前記パッド本体の前記両側部を含む全周を被包するパイピングを備える請求項１ないし１６のいずれかに記載の軽失禁用パッド。
【請求項１８】
ショーツ本体と、前記ショーツ本体に取り付けられた軽失禁用パッドとからなる軽失禁用ショーツであって、前記軽失禁用パッドは、請求項１ないし１０のいずれかに記載の軽失禁用パッドであり、さらに、前記軽失禁用パッドは、前記中間層布帛および前記表面側布帛の上縁部より延出する部分の前記防水シートの上縁部および前記中間層布帛および前記表面側布帛の下縁部より延出する部分の前記防水シートの下縁部にて、前記ショーツ本体に固定されていることを特徴とする軽失禁用ショーツ。
【請求項１９】
ショーツ本体と、前記ショーツ本体に取り付けられた軽失禁用パッドとからなる軽失禁用ショーツであって、前記軽失禁用パッドは、請求項１１ないし１７のいずれかに記載の軽失禁用パッドであり、さらに、前記軽失禁用パッドは、前記中間層布帛および前記表面側布帛の上縁部より延出する部分の前記防水シートの上縁部および前記中間層布帛および前記表面側布帛の下縁部より延出する部分の前記防水シートの下縁部にて、前記ショーツ本体に固定されていることを特徴とする軽失禁用ショーツ。
【考案の詳細な説明】
【技術分野】
【０００１】
本考案は、軽失禁用パッドおよびそれを備えた軽失禁用ショーツに関する。
【背景技術】
【０００２】
尿失禁とは、自分の意志に関係なく尿が漏れる症状をいう。尿失禁は、加齢とともにその数は多くなると言われている。尿失禁には、大きく分けて運動、くしゃみなどで尿がもれる腹圧性尿失禁、尿意自覚からトイレに行くまでに尿がもれてしまう切迫性尿失禁、持続的に少量の尿がもれる溢流性尿失禁、機能性尿失禁、反射性尿失禁などがあるといわれている。その中では、腹圧性尿失禁と切迫性尿失禁が多く、これらの失禁は、大量の尿が漏れるものではなく、少量（１０〜１５ｃｃ程度）であり、このような少量の尿が漏れるものを軽失禁と呼ばれている。
近年、失禁に対する社会的な意識が変化し、”尿もれ”は女性の高齢者の問題だけではなく、男女とも、また、年齢に関係なく、ストレスや体型の変化、加齢などにより、誰にでも起こりうる問題として意識され、それとともに、多くの商品が紙製品・布製品の形態で発売されるようになってきた。
しかしながら、布製品においては、まだまだ、性能やデザイン性などの、消費者の要望にこたえきれていないのが現状であり、特に、パイピング部分での水もれ、水つたいは、１日も早い改善を待たれている。
失禁には、いろいろなタイプがあるといわれ、その中でも多いのが、女性の場合は、腹圧性や切迫性との混合状の症状が多いといわれている。特に、腹圧性では、くしゃみ１ｃｃ〜５ｃｃ、咳１０ｃｃ程度と言われている。
パイピングは、縫製によりパッド本体に縫着することが、生産コスト的、技術的に安易であり、また、見た目もつつみ込むイメージから、水をもらさないイメージにつながり、消費者には理解しやすく、また、薄手の仕上げにも適している。
しかし、防水性の布や撥水性の防水布やパイピングテープを使用してもなお、針穴や針目の隙間から水がもれ出てしまい、消費者に不快な問題を与えているのが現実である。  
最近では、このような軽失禁に対応するパッドおよびパッドを装着したショーツが提案されている。
例えば、登録実用新案第３０２２２０９号公報（特許文献１）に開示のものがある。この軽失禁用ショーツは、ポリエステル素材で形成した防水布、抗菌防臭加工したナイロン製抗菌防臭布、綿で形成した吸収体及びポリエステル繊維により織成した織布を順次積層し、これらを縫着した吸水体を略フンドウ形状に裁断するとともに、この吸水体の両側縁に防水布によりパイピング処理を施し、かつショーツ本体の股間部内面に防水布が接するように当て、しかも前記吸水体の上下両縁のみをショーツ本体の身生地に縫着固定したものとなっている。
【先行技術文献】
【特許文献】
【０００３】
【特許文献１】登録実用新案第３０２２２０９号公報
【考案の概要】
【考案が解決しようとする課題】
【０００４】
特許文献１のものでは、パイピング内に侵入した尿が、装着者の運動などにより押されて、裏面側（ショーツ生地側）もしくは表面側にしみでることがあった。また、パイピング部分が硬く、装着直後、運動時などに違和感を与えることがあった。
そこで、本考案の目的は、軽失禁用パッドおよびそれを備えた軽失禁用ショーツにおいて、パッドのパイピング内に侵入した尿が、裏面側（ショーツ生地側）もしくは表面側にしみでることを防止し、かつ、パイピング部分での装着時および運動時などに違和感を与えることを防止した軽失禁用パッドおよびそれを備えた軽失禁用ショーツを提供するものである。
【課題を解決するための手段】
【０００５】
上記目的を達成するものは、下記のものである。
（１）  伸縮可能な防水シートと、前記防水シート上に配置された保水性を有する伸縮可能な中間層布帛と、前記中間層布帛上に配置され、メッシュ状面を有しかつメッシュ状面が表面側となるように配置された伸縮可能な表面側布帛とからなるパッド本体と、前記パッド本体の少なくとも両側部を被包するパイピングとを備える軽失禁用パッドであって、
前記軽失禁用パッドは、前記パイピング内に形成され、前記パッド本体の側縁のほぼ全長に延びる液体保有可能部を備え、前記パイピングは、伸縮可能な撥水性布帛からなり、かつ、前記パッド本体に弾性糸により縫着された縫着部を有し、さらに、前記縫着部は、伸縮性を有するものとなっており、前記液体保有可能部に流入した水分の前記縫着部からの滲出を規制している軽失禁用パッド。
（２）  前記縫着部は、前記弾性糸により環縫いもしくは本縫いされることにより形成されている上記（１）に記載の軽失禁用パッド。
（３）  前記弾性糸は、ストレッチ素材用ミシン糸である上記（２）に記載の軽失禁用パッド。
（４）  前記軽失禁用パッドは、前記メッシュ状面側に湾曲している上記（１）ないし（３）のいずれかに記載の軽失禁用パッド。
（５）  前記縫着部は、ボールポイント針により縫着されており、前記表面側布帛および前記中間層布帛を形成する繊維が切断される部分が少なく、繊維破断に起因する液体浸透性が低いものとなっている上記（１）ないし（４）のいずれかに記載の軽失禁用パッド。
（６）  前記表面側布帛および前記中間層布帛は、ほぼ同じ大きさであり、前記防水シートは、前記表面側布帛および前記中間層布帛の外縁より延出する環状延出部を有し、前記パイピングの内面は、前記防水シートの外縁に接触しており、前記液体保有可能部は、前記パイピング内にかつ、前記防水シートの前記延出部上の前記表面側布帛および前記中間層布帛の非存在部上に形成されている上記（１）ないし（５）のいずれかに記載の軽失禁用パッド。
（７）  前記中間層布帛は、保水性を有し、かつ拡散性を有するものである上記（１）ないし（６）のいずれかに記載の軽失禁用パッド。
（８）  前記それぞれのパイピングは、前記パッド本体の側部全体を被包するとともに、少なくとも表面側端部は、前記パイピングの内面に向かって延びる内側折り返し部を有し、前記縫着部は、前記折り返し部の折り返し端付近に設けられている上記（１）ないし（７）のいずれかに記載の軽失禁用パッド。
（９）  前記表面側布帛は、一方の面がメッシュ状となっており、他方の面は、非メッシュ面となっており、かつ、保水性を有し、かつ拡散性を有するものであり、前記中間層布帛は、一方の面がメッシュ状となっており、他方の面は、非メッシュ面となっており、かつ、保水性を有し、かつ拡散性を有するものである上記（１）ないし（８）のいずれかに記載の軽失禁用パッド。
（１０）  前記軽失禁用パッドは、前記中間層布帛および前記表面側布帛の上縁部および下縁部を前記防水シートに縫着する上縁縫着部および下縁縫着部と、前記上縁縫着部より延出する部分の前記防水シートにより形成されたショーツ本体縫着用上縁部と、前記下縁縫着部より延出する部分の前記防水シートにより形成されたショーツ本体縫着用下縁部とを備えている上記（１）ないし（９）のいずれかに記載の軽失禁用パッド。
【０００６】
また、上記目的を達成するものは、下記のものである。
（１１） 伸縮可能な防水シートと、前記防水シート上に配置された保水性を有する伸縮可能な中間層布帛と、前記中間層布帛上に配置され、メッシュ状面を有しかつメッシュ状面が表面側となるように配置された伸縮可能な表面側布帛とからなるパッド本体と、前記パッド本体の少なくとも両側部を被包するパイピングとを備える軽失禁用パッドであって、
前記軽失禁用パッドは、前記パイピング内に形成され、前記パッド本体の側縁のほぼ全長に延びる液体保有可能部を備え、前記パイピングは、伸縮可能な撥水性布帛からなり、かつ、前記パッド本体に弾性糸により縫着された縫着部を有し、さらに、前記縫着部は、前記弾性糸により環縫いもしくは本縫いされることにより形成された伸縮性を有するものとなっており、さらに、前記縫着部は、流入した水分の前記縫着部からの滲出を規制しており、そして、前記軽失禁用パッドは、前記メッシュ状面側に湾曲している軽失禁用パッド。
（１２） 伸縮可能な防水シートと、前記防水シート上に配置された保水性を有する伸縮可能な中間層布帛と、前記中間層布帛上に配置され、メッシュ状面を有しかつメッシュ状面が表面側となるように配置された伸縮可能な表面側布帛とからなるパッド本体と、前記パッド本体の両側部を被包するパイピングとを備える軽失禁用パッドであって、
前記軽失禁用パッドは、前記パイピング内に形成され、前記パッド本体の側縁のほぼ全長に延びる液体保有可能部を備え、前記パイピングは、伸縮可能な撥水性布帛からなり、かつ、前記パッド本体に弾性糸により縫着された縫着部を有し、さらに、前記縫着部は、伸縮性を有するものとなっており、さらに、前記縫着部は、流入した水分の前記縫着部からの滲出を規制しており、そして、前記縫着部は、ボールポイント針により縫着されており、前記表面側布帛および前記中間層布帛を形成する繊維が切断される部分が少なく、繊維破断に起因する液体浸透性が低いものとなっている軽失禁用パッド。
（１３）  前記軽失禁用パッドは、前記メッシュ状面側に湾曲している上記（１２）に記載の軽失禁用パッド。
（１４）  前記弾性糸は、ストレッチ素材用ミシン糸である上記（１１）ないし（１３）のいずれかに記載の軽失禁用パッド。
（１５）  前記表面側布帛および前記中間層布帛は、ほぼ同じ大きさであり、前記防水シートは、前記表面側布帛および前記中間層布帛の外縁より延出する環状延出部を有し、前記パイピングの内面は、前記防水シートの外縁に接触しており、前記液体保有可能部は、前記パイピング内にかつ、前記防水シートの前記延出部上の前記表面側布帛および前記中間層布帛の非存在部上に形成されている上記（１１）ないし（１４）のいずれかに記載の軽失禁用パッド。
（１６）  前記表面側布帛は、一方の面がメッシュ状となっており、他方の面は、非メッシュ面となっており、かつ、保水性を有し、かつ拡散性を有するものであり、前記中間層布帛は、一方の面がメッシュ状となっており、他方の面は、非メッシュ面となっており、かつ、保水性を有し、かつ拡散性を有するものである上記（１１）ないし（１５）のいずれかに記載の軽失禁用パッド。
（１７） 前記軽失禁用パッドは、前記パッド本体の前記両側部を含む全周を被包するパイピングを備える上記（１）ないし（１６）のいずれかに記載の軽失禁用パッド。
【０００７】
また、上記目的を達成するものは、下記のものである。
（１８）  ショーツ本体と、前記ショーツ本体に取り付けられた軽失禁用パッドとからなる軽失禁用ショーツであって、前記軽失禁用パッドは、上記（１）ないし（１０）のいずれかに記載の軽失禁用パッドであり、さらに、前記軽失禁用パッドは、前記中間層布帛および前記表面側布帛の上縁部より延出する部分の前記防水シートの上縁部および前記中間層布帛および前記表面側布帛の下縁部より延出する部分の前記防水シートの下縁部にて、前記ショーツ本体に固定されている軽失禁用ショーツ。
（１９）  ショーツ本体と、前記ショーツ本体に取り付けられた軽失禁用パッドとからなる軽失禁用ショーツであって、前記軽失禁用パッドは、上記（１１）ないし（１７）のいずれかに記載の軽失禁用パッドであり、さらに、前記軽失禁用パッドは、前記中間層布帛および前記表面側布帛の上縁部より延出する部分の前記防水シートの上縁部および前記中間層布帛および前記表面側布帛の下縁部より延出する部分の前記防水シートの下縁部にて、前記ショーツ本体に固定されている軽失禁用ショーツ。
【考案の効果】
【０００８】
本考案の軽失禁用パッドは、伸縮可能な防水シートと、防水シート上に配置された保水性を有する伸縮可能な中間層布帛と、中間層布帛上に配置され、メッシュ状面を有しかつメッシュ状面が表面側となるように配置された伸縮可能な表面側布帛とからなるパッド本体と、パッド本体の両側部を被包する伸縮可能な撥水性布帛からなるパイピングとを備える。さらに、本考案の軽失禁用パッドでは、パイピング内に形成され、パッド本体の側縁のほぼ全長に延びる液体保有可能部を備え、パイピングは、伸縮可能な撥水性布帛からなり、かつ、パッド本体に弾性糸により縫着された縫着部を有し、さらに、縫着部は、伸縮性を有するものとなっており、液体保有可能部に流入した水分の前記縫着部からの滲出を規制している。
このため、パイピング内には、パッド本体の両側縁のほぼ全長に延びる液体保有可能部を備えることにより、パイピング内に侵入した尿を保持し、パイピングより、裏面側（ショーツ生地側）もしくは表面側にしみでることを防止している。さらに、パイピングは、縫着部を含め伸縮性を有するため、装着時および運動時に違和感を与えることが少なく、また、パイピングをパッド本体に縫着する縫着部からの尿の滲出も防止する。
また、本考案の軽失禁用ショーツは、上記の本考案の軽失禁用パッドを用いるものであるので、上記の本考案の軽失禁用パッドの効果を備えるものとなっている。
【図面の簡単な説明】
【０００９】
【図１】図１は、本考案の実施例の軽失禁用パッドの正面図である。
【図２】図２は、図１のＡ−Ａ線切断部における軽失禁用パッドの内部構造を説明するための説明図である。
【図３】図３は、図１のＢ−Ｂ線切断部における軽失禁用パッドの内部構造を説明するための説明図である。
【図４】図４は、図１の部分拡大図である。
【図５】図５は、本考案の他の実施例の軽失禁用パッドの斜視図である。
【図６】図６は、本考案の他の実施例の軽失禁用パッドの内部構造を説明するための説明図である。
【図７】図７は、本考案の他の実施例の軽失禁用パッドの内部構造を説明するための説明図である。
【図８】図８は、本考案の他の実施例の軽失禁用パッドの内部構造を説明するための説明図である。
【図９】図９は、本考案の他の実施例の軽失禁用パッドの内部構造を説明するための説明図である。
【図１０】図１０は、本考案の他の実施例の軽失禁用パッドの正面図である。
【図１１】図１１は、本考案の実施例の軽失禁用ショーツの正面図である。
【図１２】図１２は、図１１に示した軽失禁用ショーツにおける軽失禁用パッド装着部を説明するための説明図である。
【図１３】図１３は、本考案の他の実施例の軽失禁用ショーツにおける軽失禁用パッド装着部を説明するための説明図である。
【考案を実施するための形態】
【００１０】
本考案の軽失禁用パッドおよび軽失禁用ショーツを図面に示した実施例を用いて説明する。
本考案の軽失禁用パッド１は、伸縮可能な防水シート４と、防水シート４上に配置された保水性を有する伸縮可能な中間層布帛３と、中間層布帛３上に配置され、メッシュ状面を有しかつメッシュ状面が表面側となるように配置された伸縮可能な表面側布帛２とからなるパッド本体１０と、パッド本体１０の両側部を被包する伸縮可能な撥水性布帛からなるパイピング５，６とを備える。そして、軽失禁用パッド１は、パイピング５，６内に形成され、パッド本体１０の側縁のほぼ全長に延びる液体保有可能部１１，１２を備え、パイピング５，６は、伸縮可能な撥水性布帛からなり、かつ、パッド本体１０に糸により縫着された縫着部７，８を有し、さらに、縫着部７，８は、伸縮性を有するものとなっており、液体保有可能部１１，１２に流入した水分の縫着部７，８からの滲出を規制している。
【００１１】
また、本考案の軽失禁用ショーツ２０は、ショーツ本体２１と、ショーツ本体２１に取り付けられた上述した軽失禁用パッド１とからなる。軽失禁用パッド１は、表面側布帛２および中間層布帛３の上縁部より延出する部分の防水シート４の上縁部４ｃおよび表面側布帛２および中間層布帛３の下縁部より延出する部分の防水シート４の下縁部４ｄにて、ショーツ本体２１に固定されている。
【００１２】
本考案の軽失禁用パッド１は、防水シート４と、防水シート４上に配置された中間層布帛３と、中間層布帛上３に配置された表面側布帛２とからなるパッド本体１０と、パッド本体１０の両側部を被包するパイピング５，６とを備える。
防水シート４は、軽失禁用パッド１内に保水された尿の下側（具体的には、取り付けられるショーツ本体生地側）への浸透を防止するためのものである。この実施例の軽失禁用パッド１では、防水シート４は、上部に比べて下部が大きく形成された略分銅型のものとなっている。そして、防水シート４は、伸縮可能な布帛により形成されている。このような防水シート４としては、伸縮可能、言い換えれば、ある程度の伸縮性を有する布帛により形成され、かつ防水加工されたものが用いられる。具体的には、ポリエステル、ポリアミド等の合成繊維により形成された伸縮性を有する布帛に、ポリウレタン系エラストマー、シリコーン樹脂エラストマー等の撥水性かつ弾性を有する樹脂をコーティングしたものなどが使用される。
【００１３】
表面側布帛２は、皮膚と接触する面を形成するものであり、この実施例の軽失禁用パッド１では、表面側布帛２は、上部に比べて下部が大きく形成された略分銅型のものとなっている。表面側布帛２は、防水シート４とほぼ同じ大きさかつ同じ形状のものとなっている。表面側布帛２は、伸縮可能な布帛（言い換えれば、ある程度の伸縮性を有する布帛）であり、メッシュ状面を有しかつメッシュ状面が表面側すなわち皮膚接触側となるように配置されている。また、表面側布帛２は、保水性を有し、かつ拡散性を有するものが用いられている。このようなものを用いることにより、表面側布帛自体にも尿の保持を可能とする。また、尿の保持が可能であっても、メッシュ面が皮膚側となっており、使用者にべたつき感を与えることはない。
さらに、表面側布帛としては、一方の面がメッシュ状となっており、他方の面は、非メッシュ面となっている伸縮性メッシュ生地を用いることが好ましい。特に、一方の面がメッシュ状であり他方の面がメリヤス織面となっている比較的織り密度の高いものが好ましい。このようなものを用いることにより、良好な皮膚接触面を有しかつ、伸縮性、液体保持性を有するものとなる。このようなメッシュ生地としては、例えば、ポリエステル、ポリアミドなどの合成繊維により、一方の面がメッシュ状に多方の面が非メッシュ状に形成された織布もしくは網布が用いられる。
【００１４】
中間層布帛３は、表面側布帛２と防水シート４間に位置し、尿を保持するためのものである。この実施例の軽失禁用パッド１では、中間層布帛３は、上部に比べて下部が大きく形成された略分銅型のものとなっている。また、中間層布帛３は、防水シート４および表面側布帛２とほぼ同じ大きさかつ同じ形状のものとなっている。そして、中間層布帛３は、伸縮可能な布帛（言い換えれば、ある程度の伸縮性を有する布帛）であり、ある程度の保水性と拡散性を有するものが用いられている。中間層として吸水性のあるものを用いることにより、対応失禁量は増加する。しかし、吸水することにより、通常膨らむため、装着違和感が高くなる。中間層布帛３として、ある程度の保水性とともに拡散性を有するものを用いることにより、軽失禁を起こしたとしても、中間層が部分的に膨らむことがなく、装着違和感を生じにくいものとなる。
そして、中間層布帛３としては、例えば、伸縮可能な布帛であり、一方がメッシュ状面となったメッシュ生地、保水性・拡散性を有する生地などを用いることができる。具体的には、表面側布帛としては、一方の面がメッシュ状となっており、他方の面は、非メッシュ面となっている伸縮性メッシュ生地を用いることが好ましい。そして、表面側布帛２と中間層布帛３とは、表面側布帛の非メッシュ面と中間層布帛のメッシュ面とが、向かい合うように積層されている。なお、表面側布帛の非メッシュ面と中間層布帛の非メッシュ面とが、向かい合うように積層してもよい。
【００１５】
また、中間層布帛３としては、上述した表面側布帛２と同様に、一方の面がメッシュ状であり他方の面がメリヤス織面となっている比較的織り密度の高いものが好ましい。このようなものを用いることにより、良好な伸縮性および液体保持性を有するものとなる。
そして、本考案の軽失禁用パッド１は、防水シート４と中間層布帛３と表面側布帛２とからなるパッド本体１０の両側部を被包するパイピング５，６を備えている。パイピング５，６は、図４に示すように、防水シート４の側部の全長にわたり設けられていることが好ましい。
パイピング５，６は、伸縮可能な（言い換えれば、ある程度の伸縮性を有する）撥水性布帛により形成されている。撥水性布帛は、ポリエステル、ポリアミド等の合成繊維により形成された伸縮性を有する布帛に、シリコーン樹脂等の撥水性樹脂を塗布したものなどが使用される。
【００１６】
そして、図２に示すように、表面側布帛２、中間層布帛３および防水シート４は、ほぼ同じ大きさである。パイピング５内には、表面側布帛２、中間層布帛３および防水シート４（言い換えれば、パッド本体１０）の側縁のほぼ全長に延びる液体保有可能部（空間部）１１を備えている。同様にパイピング６内には、パッド本体１０の側縁のほぼ全長に延びる液体保有可能部（空間部）１２を備えている。パイピング５，６は、この液体保有可能部１１，１２を備えることにより、パイピング５，６内に侵入した尿を保持し、パイピング５，６より、裏面側（ショーツ生地側）もしくは表面側にしみでることを防止している。特に、液体保有可能部１１，１２は、その断面積は小さいものであるが、パッド本体１０の側縁のほぼ全長に延びるものとなっていることにより、パイピング５，６の特定部位より尿がパイピング５，６内に侵入するものであっても、侵入した尿は、パッド本体１０の側縁のほぼ全長に延びる液体保有部内を移動可能であるので、パイピング５，６から尿が漏出する可能性は極めて少ないものとなっている。
【００１７】
さらに、パイピング５，６は、パイピング５，６を形成する布帛をパッド本体１０に、糸により縫着された縫着部７，８を有し、さらに、縫着部７，８は、伸縮性を有するものとなっており、液体保有可能部１１，１２に流入した水分の縫着部７，８からの滲出を規制している。
具体的には、この実施例のものでは、パイピング５，６を形成する撥水性布帛は、ストレッチ素材用ミシン糸によりパッド本体１０に縫着されている。このため、縫着部７，８は、より良好な伸縮性を有するものとなっている。さらに、縫着部７，８は、ボールポイント針（言い換えれば、ニット針）により縫着されていることが好ましい。ボールポイント針は、先端が丸みをおびたものとなっており、このような針により縫製することにより、表面側布帛２および中間層布帛３を形成する繊維が切断される部分が少なく、繊維破断に起因する液体浸透性が低いもの、すなわち、縫着部（言い換えれば、縫い目）より、尿が漏出することが少ないものとなる。
さらに、縫着部７，８は、環縫いもしくは本縫いされることにより形成されており、パイピング５，６に、伸縮性を付与している。このため、パイピング部分での装着時および運動時に違和感を与えることが少ないものとなっている。環縫いとしては、針糸１本だけで作られる縫い目で、裏面は針糸のループが互いに連続して鎖目となる単環縫い、上糸と下糸からなり、下糸が二重に上糸と交錯した二重環縫いのいずれであってもよい。
【００１８】
さらに、この実施例の軽失禁用パッド１では、図２に示すように、それぞれのパイピング５，６は、パッド本体１０の側部全体を被包し、かつ、表面側端部は、パイピング５，６の内面に向かって延びる内側折り返し部５ａ，６ａを有し、縫着部７，８は、折り返し部５ａ，６ａの折り返し端部付近に設けられている。このため、パイピング５，６は、その表面側において、液体保有可能部１１，１２からの尿の漏出をより確実に阻止するものとなっている。そして、この実施例の軽失禁用パッド１は、上述した表面側の内側折り返し部５ａ，６ａの折り返し端と縫着部７，８間のパイピング部分により形成されたループ部５ｃ，６ｃを有している。また、パイピング５，６の表面側の内側折り返し部５ａ，６ａの端部は、表面側布帛２の側縁付近に位置するものである。
【００１９】
そして、この実施例の軽失禁用パッド１では、図２に示すように、それぞれのパイピング５，６は、裏面側においても、パイピング５，６の内面に向かって延びる内側折り返し部５ｂ，６ｂを有し、縫着部７，８は、折り返し部５ｂ，６ｂの折り返し端部付近に設けられている。そして、軽失禁用パッド１は、上述した裏面側の内側折り返し部５ｂ，６ｂの折り返し端と縫着部７，８間のパイピング部分により形成されたループ部を有している。
そして、この実施例の軽失禁用パッド１では、図１に示すように、表面側布帛２および中間層布帛３の上縁部より延出する部分の防水シートにより形成されたショーツ本体縫着用上縁部４ｃを備えている。このショーツ本体縫着用上縁部４ｃは、上述したように、防水シートの上部延出部により形成されている。同様に、軽失禁用パッド１では、図１に示すように、表面側布帛２および中間層布帛３の下縁部より延出する部分の防水シートにより形成された形成されたショーツ本体縫着用下縁部４ｄを備えている。また、ショーツ本体縫着用下縁部４ｄは、上述したように、防水シートの下部延出部により形成されている。
【００２０】
また、この実施例の軽失禁用パッド１では、図１、図３および図４に示すように、表面側布帛２および中間層布帛３の上縁部を防水シート４に縫着する上縁縫着部１３を有している。そして、この上縁縫着部１３より上方部分の防水シート４の延出部が、ショーツ本体縫着用上縁部４ｃとなっている。同様に、表面側布帛２および中間層布帛３の下縁部を防水シート４に縫着する下縁縫着部１４を有している。そして、この下縁縫着部１４より下方部分の防水シート４の延出部が、ショーツ本体縫着用下縁部４ｄとなっている。上記の上縁縫着部１３および下縁縫着部１４は、環縫いもしくは本縫いにより形成されていることが好ましい。さらには、上縁縫着部１３および下縁縫着部１４は、ストレッチ素材用ミシン糸により縫製されていることが好ましい。さらに、この実施例の軽失禁用パッド１では、図１、図３および図４に示すように、表面側布帛２および中間層布帛３の上縁部を防水シート４に縫着する第２の上縁縫着部１５を有している。第２の上縁縫着部１５は、いわゆるジグザグ縫いされたものとなっている。同様に、表面側布帛２および中間層布帛３の下縁部を防水シート４に縫着する第２の下縁縫着部１６を有している。第２の下縁縫着部１６もいわゆるジグザグ縫いされたものとなっている。
【００２１】
また、本考案の軽失禁用パッドとしては、図５に示す軽失禁用パッド１ａのように、表面側布帛２側（具体的には、表面側布帛２側のメッシュ状面側）に湾曲しているものであってもよい。このようにすることにより、人体へのフィットが良好となる。このような湾曲形態は、図５に示すように、表面側布帛２側の側縁部に多数のギャザー２ａを設けることにより、形成することができる。なお、湾曲形態は、縫着に用いられる糸の収縮力により形成されるものであってもよい。
【００２２】
また、本考案の軽失禁用パッドとしては、図６に示す軽失禁用パッド１ｂのように、表面側布帛２および中間層布帛３は、ほぼ同じ大きさであり、防水シート４は、表面側布帛３および中間層布帛３の外縁より延出する側部延出部４ａ、４ｂを有するものであってもよい。さらに、パイピング５の内面は、防水シート４の側部延出部４ａの外縁に接触し、パイピング５内には、防水シート４の側部延出部４ａ上の表面側布帛２および中間層布帛３の非存在部上に形成されたパッド本体１０の側縁のほぼ全長に延びる液体保有可能部（空間部）１１を備えるものとなっている。同様に、パイピング６の内面は、防水シート４の側部延出部４ｂの外縁に接触し、パイピング６内には、防水シート４の側部延出部４ｂ上の表面側布帛２および中間層布帛３の非存在部上に形成されたパッド本体１０の側縁のほぼ全長に延びる液体保有可能部（空間部）１２を備えるものとなっている。パイピング５，６は、この液体保有可能部１１，１２を備えることにより、パイピング５，６内に侵入した尿を保持し、パイピング５，６より、裏面側（ショーツ生地側）もしくは表面側にしみでることを防止している。特に、液体保有可能部１１，１２は、その断面積は小さいものであるが、パッド本体１０の側縁のほぼ全長に延びるものとなっていることにより、パイピング５，６の特定部位より尿がパイピング５，６内に侵入するものであっても、侵入した尿は、パッド本体１０の側縁のほぼ全長に延びる液体保有部内を移動可能であるので、パイピング５，６から尿が漏出する可能性は極めて少ないものとなっている。
【００２３】
また、本考案の軽失禁用パッドとしては、図７に示す軽失禁用パッド１ｃのように、それぞれのパイピング５，６は、裏面側では、パイピング５，６は、内側折り返し部を持たないものであってもよい。なお、この実施例の軽失禁用パッド１ｃでは、それぞれのパイピング５，６は、パッド本体１０の側部全体を被包し、かつ、表面側端部は、パイピング５，６の内面に向かって延びる内側折り返し部５ａ，６ａを有し、縫着部７，８は、折り返し部５ａ，６ａの折り返し端部付近に設けられている。このため、パイピング５，６は、その表面側において、液体保有可能部１１，１２からの尿の漏出をより確実に阻止するものとなっている。そして、この実施例の軽失禁用パッド１ｃは、上述した表面側の内側折り返し部５ａ，６ａの折り返し端と縫着部７，８間のパイピング部分により形成されたループ部５ｃ，６ｃを有している。また、パイピング５，６の表面側の内側折り返し部５ａ，６ａの端部は、表面側布帛２の側縁付近に位置するものである。
また、本考案の軽失禁用パッドとしては、図８に示す軽失禁用パッド１ｄのように、表面側では、パイピング５，６は、内側折り返し部を持たないものであってもよい。なお、この実施例の軽失禁用パッド１ｄでは、それぞれのパイピング５，６は、パッド本体１０の側部全体を被包し、かつ、裏面側端部は、パイピング５，６の内面に向かって延びる内側折り返し部５ｂ，６ｂを有し、縫着部７，８は、折り返し部５ｂ，６ｂの折り返し端部付近に設けられている。そして、この実施例の軽失禁用パッド１ｄは、上述した表面側の内側折り返し部５ｂ，６ｂの折り返し端と縫着部７，８間のパイピング部分により形成されたループ部を有している。また、パイピング５，６の裏面側の内側折り返し部５ｂ，６ｂの端部は、表面側布帛２の側縁付近に位置するものである。
さらに、本考案の軽失禁用パッドとしては、図９に示す軽失禁用パッド１ｅのように、パイピング５，６は、表面側、裏面側の両者において、内側折り返し部を持たないものであってもよい。
また、図６に示した軽失禁用パッド１ｂのように、防水シート４が、表面側布帛３および中間層布帛３の外縁より延出する側部延出部４ａ、４ｂを有するものにおいても、図７に示す軽失禁用パッド１ｃのように、パイピング５，６は、裏面側では、内側折り返し部を持たないもの、図８に示す軽失禁用パッド１ｄのようにように、表面側では、内側折り返し部を持たないもの、さらには、図９に示す軽失禁用パッド１ｅのように、表面側、裏面側の両者において、内側折り返し部を持たないものであってもよい。
【００２４】
また、本考案の軽失禁用パッドとしては、図１０に示すような基本構成を有するものであってもよい。図１０は、本考案の他の実施例の軽失禁用パッドの正面図である。
この実施例の軽失禁用パッド１ｆは、伸縮可能な防水シート４と、防水シート４上に配置された保水性を有する伸縮可能な中間層布帛３と、中間層布帛３上に配置され、メッシュ状面を有しかつメッシュ状面が表面側となるように配置された伸縮可能な表面側布帛２とからなるパッド本体１０ａと、パッド本体１０ａの全周を被包する伸縮可能な撥水性布帛からなるパイピング５０とを備える。そして、軽失禁用パッド１ｆは、パイピング５０内に形成され、パッド本体１０ａの両側部の全長、好ましくは、全周に延びる液体保有可能部を備え、パイピング５０は、伸縮可能な撥水性布帛からなり、かつ、パッド本体１０ａに糸により縫着された縫着部５６を有し、さらに、縫着部５６は、伸縮性を有するものとなっており、液体保有可能部に流入した水分の縫着部５６からの滲出を規制している。
この実施例の軽失禁用パッド１ｆと上述した実施例の軽失禁用パッド１との相違は、パイピング５０が、パッド本体１０ａの全周に設けられている点、軽失禁用パッド１ｆおよびパッド本体１０ａが実質的に角部を持たない変形瓢箪型となっている点である。
【００２５】
この実施例の軽失禁用パッド１ｆは、横断面構造は、図２に示すものと同様のものとなっており、防水シート４と、防水シート４上に配置された中間層布帛３と、中間層布帛上３に配置された表面側布帛２とからなるパッド本体１０ａと、パッド本体１０ａの両側部を被包するパイピング５０（５１，５２）とを備える。
防水シート４、表面側布帛２および中間層布帛３は、形状が上述した変形瓢箪型となっている点以外は、上述したものと同じである。
そして、この実施例の軽失禁用パッド１ｆは、防水シート４と中間層布帛３と表面側布帛２とからなるパッド本体１０ａの全周を被包するパイピング５０を備えている。パイピング５０は、図１０に示すように、パッド本体１０ａの右側部を被包するパイピング右側部５１，パッド本体１０ａの左側部を被包するパイピング左側部５２，パッド本体１０ａの上部を被包するパイピング上部５３，パッド本体１０ａの下部を被包するパイピング下部５４を備える。パイピング５０は、一体のものとなっている。
【００２６】
そして、この実施例の軽失禁用パッド１ｆにおいても、図２に示したものと同様に、パイピング右側部５１内には、側縁のほぼ全長に延びる液体保有可能部（空間部）を備えており、同様に、パイピング左側部５２内には、側縁のほぼ全長に延びる液体保有可能部（空間部）を備えている。さらに、この実施例の軽失禁用パッド１ｆにおいては、パイピング上部５３内にも、上部のほぼ全長に延びる液体保有可能部（空間部）を備えていてもよい。同様に、パイピング下部５４内にも、側縁のほぼ全長に延びる液体保有可能部（空間部）を備えていてもよい。
パイピング５０は、パイピング５０を形成する布帛をパッド本体１０ａに、糸により縫着することにより形成された環状縫着部５６を有している。縫着部５６は、伸縮性を有するものとなっており、パイピング５０内の液体保有可能部に流入した水分の縫着部５６からの滲出を規制している。
そして、この実施例のものにおいても、パイピング５０を形成する撥水性布帛は、ストレッチ素材用ミシン糸によりパッド本体１０ａに縫着されている。このため、縫着部５６は、より良好な伸縮性を有するものとなっている。さらに、縫着部５６は、ボールポイント針（言い換えれば、ニット針）により縫着されていることが好ましい。ボールポイント針は、先端が丸みをおびたものとなっており、このような針により縫製することにより、表面側布帛２および中間層布帛３を形成する繊維が切断される部分が少なく、繊維破断に起因する液体浸透性が低いもの、すなわち、縫着部（言い換えれば、縫い目）より、尿が漏出することが少ないものとなる。
さらに、縫着部５６は、環縫いもしくは本縫いされることにより形成されており、パイピング５０に、伸縮性を付与している。このため、パイピング部分での装着時および運動時に違和感を与えることが少ないものとなっている。環縫いとしては、針糸１本だけで作られる縫い目で、裏面は針糸のループが互いに連続して鎖目となる単環縫い、上糸と下糸からなり、下糸が二重に上糸と交錯した二重環縫いのいずれであってもよい。
【００２７】
そして、この実施例の軽失禁用パッド１ｆにおいても、図６に示した軽失禁用パッド１ｂのように、防水シート４は、全周において、表面側布帛２および中間層布帛３の外縁より延出する部分を有するものであってもよい。
また、この実施例の軽失禁用パッド１ｆにおいても、図２に示したものと同様に、パイピング５０の表面側端部および裏面側端部は、パイピング５０の内面に向かって延びる内側折り返し部を有するものであってもよい。さらには、図７に示す軽失禁用パッド１ｃのように、パイピング５０が、裏面側では、内側折り返し部を持たないもの、図８に示す軽失禁用パッド１ｄのようにように、表面側では、内側折り返し部を持たないもの、さらには、図９に示す軽失禁用パッド１ｅのように、表面側、裏面側の両者において、内側折り返し部を持たないものであってもよい。
そして、本考案の軽失禁用パッドは、後述する軽失禁用ショーツなどの下着類、股部を有するスポーツ用品、股部を有する子供服、股部を有するアンダーウエア、パジャマなどに取り付けて利用することができる。
【００２８】
次に、本考案の軽失禁用ショーツについて説明する。
図１１は、本考案の実施例の軽失禁用ショーツの正面図である。図１２は、図１１に示した軽失禁用ショーツにおける軽失禁用パッド装着部を説明するための説明図である。
本考案の軽失禁用ショーツ２０は、ショーツ本体２１と、ショーツ本体２１に取り付けられた上述した軽失禁用パッド１とからなる。なお、この実施例の軽失禁用ショーツ２０では、上述した失禁パッド１を用いてるが、上述したすべての実施例の軽失禁用パッド１ａ，１ｂ，１ａ，１ｄ，１ｅ，１ｆを用いてもよい。
そして、軽失禁用パッド１は、図１１および図１２に示すように、ショーツ本体２１の股間部２２の内側に、防水シート４が、股間部を形成する布帛と向かい合い、表面側布帛２が、装着者側となるように装着されている。特に、この実施例のショーツ２０では、軽失禁用パッド１は、表面側布帛２および中間層布帛３の上縁部より延出する部分の防水シート４の上縁部４ｃおよび表面側布帛２および中間層布帛３の下縁部より延出する部分の防水シート４の下縁部４ｄにて、ショーツ本体２１に固定されている。パッド１のショーツ本体２１の股間部２２への固着は、縫着により行われており、この実施例では、いわゆるジグザグ縫いにより縫着部２３が形成されている。また、軽失禁用パッド１は、上述したように上縁および下縁にてショーツ本体２２に固着されているが、軽失禁用パッド１の上述した液体保有可能部１１，１２を有するパイピング部分（パッド１の側部）は、固着されていない。このため、パッド１のショーツ本体２１への縫着部は、パイピング部分に影響を与えないものとなっており、パイピング部分の尿の漏出防止機能は維持されている。
【００２９】
さらに、図１３に示すショーツ３０のように、ショーツ本体２１の股間部２２の外縁部には、伸縮性を有する脚回りテープ３１，３２が縫着されていてもよい。そして、脚回りテープ３１，３２は、軽失禁用パッド１の側縁部と重ならないものとなっている。具体的には、脚回りテープ３１，３２の内縁と軽失禁用パッド１の側縁部は、若干離間したものとなっている。このような脚回りテープ３１，３２を設けることにより、股間部２２の内面は、段差の少ないものとなり、装着感が良好なものとなる。また、脚回りテープ３１，３２としては、伸縮性を有するものが好ましく、さらには、レース状のものであってもよい。また、図示するものでは、脚回りテープ３１，３２は、ジグザグ状の縫着部３３，３４により縫着されている。また、脚回りテープ３１，３２は、股間部２２のみに設けてもよいが、ショーツ本体２１のレッグ開口部２４，２５の全周に設けてもよい。
【符号の説明】
【００３０】
１  軽失禁用パッド
２  表面側布帛
３  中間層布帛
４  防水シート
５，６  パイピング
７，８  縫着部
１０  パッド本体
１１，１２  液体保有可能部
２０、３０  軽失禁用ショーツ
２１  ショーツ本体
２２  股間部
【図１】
0003170247.tif 000003
【図２】
0003170247.tif 000004
【図３】
0003170247.tif 000005
【図４】
0003170247.tif 000006
【図５】
0003170247.tif 000007
【図６】
0003170247.tif 000008
【図７】
0003170247.tif 000009
【図８】
0003170247.tif 000010
【図９】
0003170247.tif 000011
【図１０】
0003170247.tif 000012
【図１１】
0003170247.tif 000013
【図１２】
0003170247.tif 000014
【図１３】
0003170247.tif 000015